(57)【要約】【課題】発電所等の施設に設けられた機器の点検作業時のヒューマンエラーを確実に防止する。【解決手段】遮断器１０の扉スイッチ１６は、扉の開閉操作を検出して開閉信号Ｓｂを情報処理装置３０に供給する。遮断器１０の電圧検出リレー１４は、電源スイッチ１２のオンまたはオフ操作を検出して検出信号Ｓａを情報処理装置３０に供給する。情報処理装置３０のＣＰＵ３２は、扉スイッチ１６から取り込んだ開閉信号Ｓｂに基づく開閉情報および電圧検出リレー１４から取り込んだ検出信号Ｓａに基づく電源情報が、ＲＯＭ４０から読み出した通常動作時の状態と同一であるか否かを判断する。ＣＰＵ３２は、扉スイッチ１６がオンの状態で、電源情報がオフの状態である場合には、作業員が作業終了後において電源スイッチを戻し忘れたものと判断して、表示装置５０の画面に該当機器の機器番号を表示することで、作業員に点検作業が正常に終了していない旨を警告する。【選択図】図１
2012208842.tif 000002
【特許請求の範囲】
【請求項１】
電力用機器の点検作業が正常に終了したか否かを監視する電力用機器監視システムであって、
前記機器の扉に設けられ、当該扉の開閉状態を検出して開閉情報を出力する第１の検出部と、
前記機器の電源をオンまたはオフに切り替える切替部に接続され、当該切替部の切り替え状態を検出して電源情報を出力する第２の検出部と、
前記第１の検出部から出力される前記開閉情報と前記第２の検出部から出力される前記電源情報とに基づいて前記作業が正常に終了したか否かを判断する制御部と、
前記制御部の判断結果に基づいて報知する報知部とを備え、
前記制御部は、前記第１の検出部から前記扉が閉した状態を示す開閉情報が供給されると共に、前記第２の検出部から前記機器の電源がオフ状態を示す電源情報が供給された場合、前記機器の作業が正常に終了していない旨を前記報知部により報知するように制御する
ことを特徴とする電力用機器監視システム。
【請求項２】
通常動作時における前記機器の前記扉の開閉状態を示す常時開閉情報と、通常動作時における前記機器の前記電源の状態を示す常時電源情報とを前記機器毎に対応付けて記憶する記憶部をさらに備え、
前記制御部は、前記記憶部に記憶されている前記常時開閉情報と前記第１の検出部から供給される前記開閉情報とを比較すると共に、前記記憶部に記憶されている前記常時電源情報と前記第２の検出部から供給される前記電源情報とを比較し、当該比較結果に基づいて前記機器の作業が正常に終了したか否かを判断する
ことを特徴とする請求項１に記載の電力用機器監視システム。
【請求項３】
前記制御部は、前記第１の検出部から前記扉の閉状態を示す開閉情報が供給されてから予め設定された設定時間が経過した場合に、前記機器の作業が正常に終了したか否かを判断する
ことを特徴とする請求項１または請求項２に記載の電力用機器監視システム。
【請求項４】
前記制御部は、前記第２の検出部から供給される前記機器の前記電源情報に基づく電源の切り替え回数をカウントし、当該カウントにより得られた前記切り替え回数に基づいて前記機器の電源状態を判断する
ことを特徴とする請求項１乃至請求項３の何れか一項に記載の電力用機器監視システム。
【請求項５】
前記報知部は、点検作業が正常に終了していない機器を示す情報を画面に表示する表示装置であって、
前記表示装置は、前記機器が設けられている施設の入退室に設けられた
ことを特徴とする請求項１乃至請求項４の何れか一項に記載の電力用機器監視システム。
【発明の詳細な説明】
【技術分野】
【０００１】
本発明は、電力施設に設けられた各機器の点検作業において作業員の操作ミスや操作忘れ等を監視する電力用機器監視システムに関する。詳しくは、点検作業終了後において機器の電源スイッチの戻し忘れが発生した場合に作業員にその旨を報知するものである。
【背景技術】
【０００２】
発電所等の施設においては、各機器の調査や点検作業が定期的に実施されている。点検作業時には、機器の制御用電源スイッチを「切り」や「停止」に切り替えて機器を停電させた後に作業が行われると共に、作業員の誤操作や操作失念によるヒューマンエラーの発生を防止するために機器に対する操作チェック項目等が予め記載された操作票や操作チェック表等の帳票が活用されている。
【０００３】
ところが、このような操作票や操作チェック表等を予め作成していても、機器の故障発生等の緊急時に対応した帳票がないことや、操作者が通常の作業時において帳票を活用しない場合があった。その結果、帳票を用いないことによる誤操作や操作忘れ等が発生しており、特に、点検作業終了後に電源スイッチをオンに戻し忘れてしまうという問題が発生し易かった。
【０００４】
機器の電源スイッチを戻し忘れてしまった場合には、電力用機器の運転に多大な障害が発生してしまう。例えば、遮断器のスイッチを戻し忘れた場合には、電力設備に事故が発生しても遮断器が動作せず、事故影響が拡大し広範囲に渡って停電が発生する。また、断路器のスイッチを戻し忘れた場合には、操作時、遠方制御が不能となり、現地へ人を派遣しなければならない。
【０００５】
特許文献１には、機器の操作前に当該操作に関して確認すべき条件項目の全てを表示画面上に表示させ、表示画面上に表示された条件項目の全てについて、運転員によるタッチ確認操作が完了したことを検出したことを条件に、機器の運転／停止の操作指令を許可することで、操作ミスの発生を防止する運転操作装置が記載されている。
【先行技術文献】
【特許文献】
【０００６】
【特許文献１】特開平５−９５６３１号公報
【発明の開示】
【発明が解決しようとする課題】
【０００７】
しかしながら、上記特許文献１に開示される運転操作装置では、機器の運転／停止の操作指令を許可するための条件項目を表示画面に表示させる装置であるため、機器の点検作業終了時における各機器の電源スイッチがオン状態に戻されたか否かの確認までは行われない。そのため、点検作業終了後の各機器のスイッチの戻し忘れについては防止できないという問題がある。
【０００８】
そこで、本発明は、上記課題に鑑みてなされたものであり、発電所等の施設に設けられた機器の点検作業時のヒューマンエラーを確実に防止することが可能な電力用機器監視システムを提供することを目的とするものである。
【課題を解決するための手段】
【０００９】
上記課題を解決するために、電力用機器の点検作業が正常に終了したか否かを監視する電力用機器監視システムであって、機器の扉に設けられ、当該扉の開閉状態を検出して開閉情報を出力する第１の検出部と、機器の電源をオンまたはオフに切り替える切替部に接続され、当該切替部の切り替え状態を検出して電源情報を出力する第２の検出部と、第１の検出部から出力される開閉情報と第２の検出部から出力される電源情報とに基づいて作業が正常に終了したか否かを判断する制御部と、制御部の判断結果に基づいて報知する報知部とを備え、制御部は、第１の検出部から扉が閉した状態を示す開閉情報が供給されると共に、第２の検出部から機器の電源がオフ状態を示す電源情報が供給された場合、機器の作業が正常に終了していない旨を報知部により報知するように制御するものである。
【００１０】
例えば、機器の作業開始時には、機器の電源スイッチをオフ状態とし、機器の回路等を停電させた状態で機器の点検作業を行い、機器の点検作業終了時には電源をオン状態に戻して点検作業を終了している。本発明においては、例えば発電所等の施設内に設けられた機器の点検作業が行われる場合に、第１の検出部により機器の扉の開閉状態が検出される。また、第２の検出部により機器の電源のオンまたはオフの切り替えが検出される。
【００１１】
制御部では、第１の検出部から機器の扉が閉じた状態を示す開閉情報が供給された後に、第２の検出部から機器の電源がオフ状態を示す電源情報が供給されたか否かが判断される。すなわち、機器の電源スイッチをオンに戻し忘れた状態で、機器の扉が閉じられて点検作業が終了したか否かが判断される。機器の扉は、点検作業中に何度か開閉される場合があるので、例えば閉状態を示す開閉情報が供給されてから、予め設定した設定時間が経過した場合に点検作業が終了したものと判断する。
【００１２】
制御部では、機器の電源がオフ状態のままで扉が閉じられたと判断した場合には、機器の点検作業が正常に終了していないと判断して、その旨を報知部により作業員に報知させる。報知部は、例えば表示装置で構成することができ、点検作業が正常に終了していない機器の例えば識別番号を画面に表示させることで、作業員に対して機器回路に異常が発生している旨を警告表示する。なお、報知部としては、ブザー音や異常が発生している旨の音声を用いて作業員に警告するようにしても良い。
【発明の効果】
【００１３】
本発明によれば、各機器の電源の状態情報や扉の開閉情報を取得して、機器の点検作業終了時に電源の戻し忘れが発生した場合には、その旨を表示装置の画面に警告表示をするため、機器の電源スイッチの戻し忘れを確実に防止することができる。その結果、事故発生時の事故拡大を防止することができる。
【図面の簡単な説明】
【００１４】
【図１】本発明の一実施形態に係る電力用機器監視システムの概略構成の一例を示す図である。
【図２】表示装置に表示される警告画面の一例を示す図である。
【図３】ＲＯＭに記憶される常時状態情報テーブルの一例を示す図である。
【図４】電力用機器監視システムの動作の一例を示すフローチャートである。
【図５】取得した機器の電源情報および開閉情報の一例を示す図である。
【図６】機器の電源スイッチのオンおよびオフ回数のカウントの一例を示す図である。
【発明を実施するための形態】
【００１５】
以下、発明を実施するための最良の形態（以下実施の形態とする）について説明する。  ［電力機器監視システムの構成例］
図１は、本発明の一実施形態に係る電力機器監視システム１００の構成の一例を示している。電力機器監視システム１００は、例えば発電所等の施設６０内に設置され、各機器の点検作業終了後において電源スイッチの戻し忘れがないか否かを監視し、作業終了後にも係らず電源スイッチがオン状態に戻されていない場合には作業者にその旨を警告表示するものである。
【００１６】
本例では、施設として発電所を一例として説明し、発電所に設けられた機器の一例としては遮断器１０および空気圧縮機２０について説明する。遮断器１０は電源をオンまたはオフするための制御用電源スイッチ（以下電源スイッチという）１２を備え、空気圧縮機２０は自動、停止、手動に切り替えるための電源スイッチ（切替部）２２を備えている。施設６０には入退室６２が設けられており、作業員や社員等は入退室６２を経由して施設６０に出入りする。
【００１７】
電力機器監視システム１００は、図１に示すように、電圧検出リレー１４，２４と扉スイッチ１６，２６と情報処理装置３０と表示装置５０とを備えている。電圧検出リレー１４は、遮断器１０の電源スイッチ１２に接続され、電源スイッチ１２がオンしたときに接点の切り替わりにより発生する電圧を検出し、この電圧に基づく検出信号Ｓａを情報処理装置３０のＣＰＵ３２に出力する。例えば、遮断器１０の電源スイッチ１２がオンの場合には検出信号Ｓａがオンとなり、電源スイッチ１２がオフの場合には検出信号Ｓａがオフとなる。電圧検出リレー１４は、第２の検出部の一例を構成している。
【００１８】
扉スイッチ１６は、遮断器１０の図示しない扉に設置され、例えば点検作業時における作業員の扉の開閉操作を検出し、この開閉操作に基づく開閉信号Ｓｂを情報処理装置３０のＣＰＵ３２に出力する。例えば、扉が開いて扉スイッチ１６がオフとなった場合には開閉信号Ｓｂがオフとなり、扉が閉じて扉スイッチ１６がオンとなった場合には開閉信号Ｓｂがオンとなる。なお、本例では、機械的なスイッチを用いたが、例えば、赤外線センサ等を用いても良い。扉スイッチ１６は、第１の検出部の一例を構成している。
【００１９】
電圧検出リレー２４は、空気圧縮機２０の電源スイッチ２２に接続され、電源スイッチ２２がオンしたときに接点の切り替わりにより発生する電圧を検出し、この電圧に基づく検出信号Ｓｃを情報処理装置３０のＣＰＵ３２に出力する。例えば、空気圧縮機２０の電源スイッチ２２がオンの場合には検出信号Ｓｃがオンとなり、電源スイッチ２２がオフの場合には検出信号Ｓｃがオフとなる。電圧検出リレー２４は、第２の検出部の一例を構成している。
【００２０】
扉スイッチ２６は、空気圧縮機２０の図示しない扉に設置され、例えば点検作業時における作業員の扉の開閉操作を検出し、この開閉操作に基づく開閉信号Ｓｄを情報処理装置３０のＣＰＵ３２に出力する。例えば、扉が開いて扉スイッチ２６がオフとなった場合には開閉信号Ｓｄがオフとなり、扉が閉じて扉スイッチ２６がオンとなった場合には開閉信号Ｓｄがオンとなる。なお、本例では、機械的なスイッチを用いたが、例えば、赤外線センサ等を用いても良い。また、扉スイッチ２６は、第１の検出部の一例を構成している。
【００２１】
情報処理装置３０は、各機器から取り込んだ電源の状態や扉の状態に基づいて点検作業終了時における各機器の電源の戻し忘れ等を監視する装置であって、ＣＰＵ(Central Processing Unit)３２とＲＯＭ(Read Only Memory)４０とＲＡＭ(Random Access Memory)４２とを備えている。なお、本例では、情報処理装置３０を発電所等の施設６０内に設置した例を示しているが、施設６０外の制御所等に設置することもできる。ＲＯＭ４０は、記憶部の一例であり、情報処理装置３０を動作させるためのプログラムや後述する常時状態情報テーブルＴＢ等を記憶する。ＲＡＭ４２は、ＲＯＭ４０から読み出したプログラム等の一時的な格納領域として用いられる。ＣＰＵ３２は、ＲＯＭ４０に記憶されているプログラムを読み出してプログラムに基づく電源監視処理等を実行する。
【００２２】
ＣＰＵ３２は、制御部の一例であり、符号化部３４とデータ処理部３６とデータ出力部３８とを有している。符号化部３４は、各電圧検出リレー１４，１６から供給される検出信号Ｓａ，Ｓｃおよび各扉スイッチ１６，２６から供給される開閉信号Ｓｂ，Ｓｄを取り込んだ後に符号化してデータ処理部３６に供給する。このとき、例えばデータを取り込んだ端子位置から信号の送信元を判断し、符号化した検出信号Ｓａ，Ｓｃおよび開閉信号Ｓｂ，Ｓｄに応じた各データに機器識別情報を付加してデータ処理部３６に供給する。
【００２３】
データ処理部３６は、予め設定された電圧検出リレー１４，２４の通常動作時の常時基準電源情報と、符号化部３４で符号化された電圧検出リレー１４，２４の電源情報とを比較し、現在の電圧検出リレー１４，２４の状態が常時の状態と相違しているか否かを判断する。同様に、予め設定された扉スイッチ１６，２６の通常動作時の常時開閉情報と、符号化部３４で符号化された扉スイッチ１６，２６の開閉情報とを比較し、現在の扉スイッチ１６，２６の状態が常時の状態と相違しているか否かを判断する。なお、電源情報は符号化前の各検出信号Ｓａ，Ｓｃに対応し、開閉情報は符号化前の各開閉信号Ｓｂ，Ｓｄに対応している。データ処理部３６は、これらの比較結果に基づいて、点検作業終了後においても電源がオフ状態であって電源スイッチの戻し忘れが発生したと判断した場合には、該当する機器の機器番号情報をデータ出力部３８に出力する。
【００２４】
データ出力部３８は、表示装置５０に接続され、データ処理部３６から供給される機器番号情報に基づいて警告表示を行うための表示データを生成して表示装置５０に出力する。
【００２５】
表示装置５０は、報知部の一例であり、例えば液晶ディスプレイ等から構成され、施設６０の入退室６２内に設置されている。表示装置５０は、情報処理装置３０のデータ出力部３８から供給される表示データに基づいて、点検作業終了後に機器の電源スイッチを戻し忘れている旨の警告表示を作業者に対して行う。図２は、表示装置５０の画面に表示される警告表示の一例を示している。画面５０ａには、点検作業終了後において電源スイッチを戻し忘れにより電源がオフ状態となっている機器の機器番号が表示される。本例では、遮断器１０および空気圧縮機２０の電源がオフ状態であることを示す機器番号「２０１」，「２０２」の文字が表示される。また、機器番号の上方には「警告」の文字が例えば赤色で点灯表示される。一方、警告表示後に、作業員によって機器の電源がオン状態に切り替えられた場合には、情報処理装置３０の指示に基づいて警告表示を画面５０ａから消去する。なお、文字等による警告表示だけでなく、ブザー音や音声によって作業員に警告しても良い。この場合、人感センサ等を用いて作業員が入退室６２から退出するタイミングで、ブザー音等により作業員に、機器の点検作業が正常に終了していない旨を報知する。
【００２６】
［常時状態情報テーブルの一例］
図３は、ＲＯＭ４０に記憶される常時状態情報テーブルＴＢの一例を示している。ＲＯＭ４０には、機器毎に、通常動作時の電圧検出リレー１４，２４（電源スイッチ）の常時電源情報および扉スイッチ１６，２６の常時開閉情報とがそれぞれ対応付けられて記憶されている。例えば、遮断器１０の場合には、電源スイッチ１２がオンされて電圧検出リレー１４がオン状態となっているときの「１」が記憶され、扉が閉じて扉スイッチ１６がオン状態となっているときの「１」が記憶される。空気圧縮機２０についても、遮断器１０と同様である。なお、常時状態情報テーブルは、ＲＯＭ４０以外の不揮発性メモリやＨＤＤ（Hard disk drive）等のメモリに記憶しても良い。
【００２７】
［電力機器監視システムの動作例］
図４は、本発明の一実施形態に係る電力機器監視システム１００における情報処理装置３０のＣＰＵ３２の動作の一例を示すフローチャートである。図５は、遮断器１０から取得した電源情報および開閉情報の一例を示す図である。以下の例では、遮断器１０を主として説明する。
【００２８】
図４に示すように、ステップＳ１０でＣＰＵ３２は、各機器で検出された電源スイッチの状態を示す電源情報および各機器の扉の開閉状態を示す開閉情報を取得する。例えば、ＣＰＵ３２は、遮断器１０の電圧検出リレー１４から出力される電源情報としての検出信号Ｓａを取得すると共に、扉スイッチ１６から出力される開閉情報としての開閉信号Ｓｂを取得する。ＣＰＵ３２は、電源情報および開閉情報を取得したらステップＳ１２に進む。
【００２９】
ステップＳ１２でＣＰＵ３２は、取得した各機器の電源情報と常時の機器の電源情報とが同じ状態であるか、および、取得した各機器の開閉情報と常時の機器の開閉情報とが同じ状態であるか否かを判断する。例えばＣＰＵ３２は、遮断器１０の電圧検出リレー１４から検出信号Ｓａが供給されると、ＲＯＭ４０から常時状態情報テーブルＴＢを読み出して、読み出した常時状態情報テーブルＴＢの常時電源情報と電圧検出リレー１４から得た電源情報とを比較し、遮断器１０の電圧検出リレー１４から取得した電源情報が常時電源情報と同じ状態であるか否かを判断する。ＣＰＵ３２は、取得した各機器の電源情報および開閉情報が常時の状態と同じ状態であると判断した場合には機器が正常であるとしてステップＳ１０に戻り、各機器の電源情報や開閉情報の状態の監視を継続して行う。例えば、図５に示すように、電圧検出リレー１４からの電源情報が「１」であり、扉スイッチ１６からの開閉情報が「１」である場合には常時情報（図３参照）と同一の状態であるため、この場合には各機器の状態が正常であると判断する。
【００３０】
一方、取得した各機器の電源情報および開閉情報が常時の状態と同じ状態でないと判断した場合にはステップＳ１４に進む。常時と異なる事象としては、例えば、図５に示すように、電源情報が「０」、開閉情報が「０」である場合や電源情報が「１」、開閉情報が「０」の場合であって、点検作業のために機器の扉が開状態となっている場合や、電源情報が「０」、開閉情報が「１」であって、機器の扉は閉じているが機器の電源スイッチがオフ状態となっている場合等が挙げられる。また、電源情報が「０」、開閉情報が「１」である場合には、機器の回路に異常が発生している可能性も考えられる。
【００３１】
ステップＳ１４でＣＰＵ３２は、電源情報や開閉情報の状態が常時の状態と相違している機器において、扉スイッチがオフ状態であるか否かを判断する。つまり、扉を開いた状態で点検作業が開始されたか否かを判断する。例えば、ＣＰＵ３２は、遮断器１０の扉スイッチ１６から供給される開閉信号Ｓｂがオフ状態であるか否かにより判断する。ＣＰＵ３２は、該当する機器の扉スイッチがオフ状態でないと判断した場合にはステップＳ１６に進む。
【００３２】
一方、ＣＰＵ３２は、該当する機器の扉スイッチがオフ状態であると判断した場合にはステップＳ２８に進む。ステップＳ２８でＣＰＵ３２は、上記結果からステップＳ１２において電源スイッチが常時と異なるオフ状態となっていると判断できるので、作業員が機器の電源を戻し忘れて扉を閉じて点検作業を終了してしまったと判断して、例えば表示装置５０の画面５０ａに該当する機器の機器番号を警告表示する（図２参照）。
【００３３】
ステップＳ１６でＣＰＵ３２は、該当する機器において点検、作業時に行われる機器の電源スイッチの入り（オン）および切り（オフ）の回数をカウントする。図６は、遮断器１０の電源スイッチの操作回数のカウント例を示している。図６に示すように、ＣＰＵ３２は、遮断器１０の電圧検出リレー１４から供給される、電源スイッチ１２のオンおよびオフ操作に応じて発生する電圧の有、無に基づく検出信号Ｓａの状態変化をカウントする。例えば、図６では、電源スイッチ１２の入り状態を初期状態とすると、「入り」回数が２回であり、「切り」回数が２回となるので、電源オンおよびオフの合計回数は４回（偶数）となる。このように、電源スイッチのオンおよびオフの合計回数を用いて機器の電源状態を判断することで、機器の電源入れ忘れを正確に判断できる。
【００３４】
ステップ１８でＣＰＵ３２は、該当する機器の扉スイッチがオン状態となったか否かを判断する。つまり、点検作業の終了により扉が閉じられたか否かを判断する。例えば、ＣＰＵ３２は、遮断器１０の扉スイッチ１６から供給される開閉信号Ｓｂがオフ状態からオン状態になったか否かを判断する。ＣＰＵ３２は、該当する機器の扉スイッチがオン状態に切り替わったと判断した場合には、該当する機器の点検、作業の終了により扉が閉じられたものと判断してステップＳ２０に進む。一方、ＣＰＵ３２は、該当する機器の扉スイッチがオフ状態の場合には、点検作業がまだ継続して実施されているものと判断してステップＳ１６に戻り、機器の電源スイッチのオンおよびオフの回数を継続してカウントする。
【００３５】
ステップ２０でＣＰＵ３２は、該当する機器の扉スイッチがオン状態となってから、予め設定された設定時間が経過したか否かを判断する。この設定時間は、点検、作業終了により扉が閉じられた場合と、点検、作業中において扉を開閉させた場合とを識別するための時間であり、たとえば作業員の経験則に基づいて設定される。点検、作業終了後は扉が継続して閉じた状態となるので、所定の設定時間、扉が開かない場合には点検、作業が終了したものと判断できる。設定時間としては、例えば２０秒程度が好ましく、図示しない操作部により任意の時間が設定可能である。これにより、点検作業が終了したか否かを正確に判断できる。ＣＰＵ３２は、設定時間が経過したと判断した場合にはステップＳ２２に進み、設定時間が経過していないと判断した場合にはステップＳ２４に進む。
【００３６】
ステップＳ２４でＣＰＵ３２は、設定時間のカウント中において該当する機器の扉スイッチがオフ状態となったか否かを判断する。例えば、ＣＰＵ３２は、遮断器１０の扉スイッチ１６から供給される開閉信号Ｓｂがオン状態からオフ状態になったか否かを判断する。ＣＰＵ３２は、該当する機器の扉スイッチがオフ状態になったと判断した場合にはステップＳ２６に進む。ステップＳ２６でＣＰＵ３２は、電源スイッチのオンおよびオフの回数用のカウンタをリセットしてステップ１６に戻り、再度機器の電源スイッチのオンおよびオフをカウントする。一方、該当する機器の扉スイッチがオフ状態になっていないと判断した場合にはステップ２０に戻り、設定時間が経過したか否かを継続してカウントする。
【００３７】
ステップＳ２２でＣＰＵ３２は、該当する機器の電源スイッチのオンおよびオフのカウント値が奇数であるか否かを判断する。ＣＰＵ３２は、カウントが奇数であると判断した場合には、機器の電源スイッチを戻し忘れて（オフ状態で）点検作業を終了して扉を閉じたか、または、機器回路に異常が発生したと判断してステップＳ２８に進む。一方、ＣＰＵ３２は、カウント値が偶数であると判断した場合には、機器のスイッチを戻して（オン状態で）点検作業を終了して扉を閉じたと判断して、つまり機器が正常に終了したと判断してステップ１０に戻り、再度各機器の状態を監視する。
【００３８】
ステップＳ２８でＣＰＵ３２は、機器の電源スイッチのオンおよびオフのカウント値が奇数である場合には、点検、作業終了後において電源スイッチの入れ忘れや、機器回路に異常が発生したものと判断して、表示装置５０の画面５０ａ上に機器回路に異常が発生していることを作業者に警告する。例えば、図２に示したように、点検作業終了時において遮断器１０の電源の戻し忘れや、機器回路に異常が発生した場合には、遮断器１０に割り当てられた機器番号「２０１」の文字を画面５０ａに表示すると共に、機器番号の上方に「警告」の文字を表示して作業者に警告する。本実施の形態においては、このような一連の動作が繰り返し実行される。
【００３９】
以上説明したように、本実施の形態によれば、情報処理装置３０により各機器の電源の状態情報や扉の開閉情報を取得して、機器の点検作業終了時において扉が閉じた状態で電源がオフになっている場合には、電源スイッチを戻し忘れたと判断して表示装置５０の画面に警告表示をするため、作業者は電源スイッチを戻し忘れたとしても警告表示により電源スイッチを入れ直して正常状態に戻すことができる。これにより、電源スイッチの戻し忘れを確実に防止することができ、事故発生時の事故拡大を防止することができる。
【００４０】
また、表示装置５０を入退室６２内に設置するため、作業者は退出時に必ず入退室６２を通過することになるので、退出時に機器のスイッチの操作状況を確認することができる。その結果、機器の電源スイッチの戻し忘れを確実に防止することができる。
【００４１】
なお、本発明の技術範囲は、上述した実施形態に限定されるものではなく、本発明の趣旨を逸脱しない範囲において、上述した実施形態に種々の変更を加えたものを含む。例えば、扉スイッチ１６，２６がオンとなっている場合、作業により一回以上扉が開閉したことで扉スイッチ１６，２６がオンになっているときと、扉スイッチ１６，２６を一回も開閉していない状態で扉スイッチ１６，２６がオンになっているときがある。ここで、機器の電源がオフであって、機器の扉を一回も開閉していない状態で扉スイッチ１６，２６がオンになっている場合、機器の電源のオフの理由が、扉は開閉されていないので、作業終了後の電源の戻し忘れではなく、機器回路の異常である可能性が高いと考えられる。そのため、この扉スイッチ１６，２６がオン状態の場合を区別することで、エラーの原因をより正確に判断することができる。
【００４２】
具体的には、上記実施の形態で説明した図４の動作フローに機器の扉の開閉回数をカウントする動作を加えた処理を実行する。ＣＰＵ３２は、図４に示すステップＳ１６で機器の電源スイッチ１２，２２のカウントに加えて、扉スイッチ１６，２６の開閉回数をカウントする。そして、ステップＳ２２において、予め設定された時間の経過後に、電源スイッチ１２，２２のカウントが奇数回（電源オフ）であって、かつ、扉スイッチ１６，２６のカウントが１回以上でオン状態であるか否かを判断する。
【００４３】
ＣＰＵ３２は、電源スイッチ１２，２２のカウントが奇数回であって、かつ、扉スイッチ１６，２６のカウントが１回以上でオン状態である場合には、作業時に機器の扉が開閉されたと考えられるので、作業終了後において電源の戻し忘れが発生したと判断する。一方、電源スイッチ１２，２２のカウントが奇数回であって、かつ、扉スイッチ１６，２６のカウントが０回でオン状態の場合には、実際に作業は行われていないと考えられるので、機器回路の異常が発生したと判断する。
【００４４】
ＣＰＵ３２は、機器の電源スイッチ１２，２２のカウント値や、扉スイッチ１６，２６の開閉回数のカウント値、機器番号を表示装置５０に表示すると共に、エラーの原因が作業終了後の電源の戻し忘れであるか、または、機器回路の異常であるかを文字情報等により表示装置５０に表示する。これにより、作業員はエラーの原因を正確に判断することができ、エラーの復旧作業を効率的に行うことができる。
【００４５】
また、上記実施の形態では、機器として遮断器１０および空気圧縮機２０について説明したが、これらに限定されることはなく、断路器等の開閉機器や活線浄油機および排水ポンプ等の補器等にも適用することができる。
【符号の説明】
【００４６】
１０・・・遮断器（機器）、１４，２４・・・電圧検出リレー（第２の検出部）、１６，２６・・・扉スイッチ（第１の検出部）、２０・・・空気圧縮機（機器）、３０・・・情報処理装置、３２・・・ＣＰＵ（制御部）、４０・・・ＲＯＭ（記憶部）、５０・・・表示装置、６２・・・入退室、１００・・・電力用機器監視システム
【図１】
2012208842.tif 000003
【図２】
2012208842.tif 000004
【図３】
2012208842.tif 000005
【図４】
2012208842.tif 000006
【図５】
2012208842.tif 000007
【図６】
2012208842.tif 000008